(57)【要約】【課題】  空調し易いように換気量を少なくし、しかも、居住者に有害化学物質による害を与えない住宅換気システムと、この住宅換気システムで部屋の換気を行う住宅換気方法を提供する。【解決手段】  部屋の温度を感知する温度センサー６と、給気口４、通気口１２、換気扇５からなる換気装置と、制御装置７とからなる。そして、制御装置７が換気装置４、１２、５を温度センサー６の感知した温度に基づいて稼働させて換気量を制御するシステムになっている。【選択図】          図１
2005147590.tif 000002
【特許請求の範囲】
【請求項１】
部屋の温度を感知する温度センサーと、換気装置と、制御装置とからなり、前記制御装置が換気装置を温度センサーの感知した温度に基づいて稼働させて部屋の換気量を制御するシステムになされていることを特徴とする住宅換気システム。
【請求項２】
請求項１記載の住宅換気システムで部屋の換気を行う住宅換気方法であって、温度センサーの感知した部屋の温度が所定の温度以下の場合には、制御装置が換気装置を稼働させて、部屋の換気回数を０．５０〜０．７０回／時間にし、部屋の温度が所定の温度を越えると、制御装置が換気装置を予め設定された式に基づいて計算された部屋の換気量になる状態に稼働させることを特徴とする住宅換気方法。
【請求項３】
前記所定の温度が２５℃であり、予め設定された式がＱ2 ＝１．３０Ｅｘｐ（ｔ2 −ｔ1 ）×Ｑ1 （ここでｔ2 は部屋内の温度、ｔ1 は２５℃、Ｑ2 は部屋の温度がｔ2 のときの部屋の換気量、Ｑ 1は２５℃の部屋の換気量）であることを特徴とする請求項２記載の住宅換気方法。
【発明の詳細な説明】
【技術分野】
【０００１】
本発明は、住宅内の有害化学物質を効率的に住宅外に排出する住宅換気システム及び住宅換気方法に関する。
【背景技術】
【０００２】
近年、住宅内の空気中に存在する有害化学物質によって、居住者の健康が害されることが問題になっている。
かかる有害化学物質としては、建材の合板や家具等の接着剤として主に使用されているホルムアルデヒド等や、住宅の内装用塗料等に含まれているトルエン、キシレン、エチルベンゼン、スチレン、酢酸ブチル等の溶剤を挙げることができる。
【０００３】
かかる住宅内の有害化学物質は、住宅内の建材や家具や住宅の内装材の中に含まれていて、これ等の建材や家具や内装材から部屋内に徐々に揮発する。
一方、近年の住宅は、従来の住宅と異なり、部屋内を効率よく空調するために、気密性に富む構造とてなっている。
そのために、この建材や内装材から揮発する有害化学物質が部屋内に滞留し、人に害を与えるのである。
このような有害化学物質による問題は、特に、新築や改築・改装直後の住宅、アパート、マンション等において多い。
【０００４】
この有害化学物質の揮発量は、温度が上昇するに従って上昇する。そのために、高温時には、必然的に部屋内の有害物質が高濃度になる。
この温度と有害化学物質の部屋内の濃度との関係を示すものとして、非特許文献１に記載されている森林総合研究所の井上氏の報告がある。
【０００５】
この報告によると、温度がｔ1 からｔ2 にゆっくりと変化した場合の建材から揮発するホルムアルデヒドの部屋内の濃度は次の式１に従う。
Ｗ2 ＝１．０９Ｅｘｐ（ｔ2 −ｔ1 ）×Ｗ1 −−−−  式１
ここで、Ｗ2 は温度ｔ2 におけるホルムアルデヒドの部屋内の濃度、Ｗ1 は温度ｔ1 におけるホルムアルデヒドの部屋内の濃度、Ｅｘｐは（ｔ2 −ｔ1 ）が１．０９の羃数であることを意味している。
【０００６】
この問題を解決する手段としては、建材や家具等の接着剤や内装用塗料に有害化学物質の揮発のないか、または、極めて少ないものを使用したり、有害化学物質を吸着または分解する空気清浄装置を用いたり、大風量の換気が可能な設備を設置し、大量の空気と共に有害化学物質を住宅外に排気することが一般に行われている。
また、有害化学物質を住宅外に排出するシステムとしては、特許文献２に記載されている住宅換気システムが知られている。
【０００７】
この特許文献２に記載されている住宅換気システムは、外気導入口を備えた１階床下空間と、この１階床下空間から屋根裏までを連通する竪穴部と、この竪穴部から外気に通じる排気口と、部屋内から竪穴部に通じる給気口とからなる。
この竪穴部の内部を通過する空気の上昇気流による負圧を利用して部屋内の空気を給気口から竪穴を経て住宅外に放出するものである。
【０００８】
この際、給気口は部屋の上部と下部とに設けていて、空気より比重の小さい有害化学物質は上部に設けた給気口から竪穴部に導き、空気より比重の大きい有害化学物質は下部に設けた給気口から竪穴部に導くようになっている。
【０００９】
【非特許文献１】木材工業，Ｖｏｌ．５２，Ｎｏ１，ｐ９〜１４，１９９７  井上明生，ホルムアルデヒド気中濃度のガイドライン対策
【特許文献２】特開２００３−３５８４号公報
【発明の開示】
【発明が解決しようとする課題】
【００１０】
しかしながら、上記有害化学物質の揮発のないか、または、極めて少ない接着剤や内装用塗料を使用することは望ましいが、すべての接着剤や内装用塗料に有害化学物質の揮発がないか、または、極めて少ないものを使用することは極めて困難であるし、新しい家具等を部屋の中に設置したときに、この家具等から有害化学物質が揮発することもあるので、かかる建材や内装用塗料等から有害化学物質が揮発しても、非特許文献１に記載されているように、換気によって部屋内の有害化学物質の濃度を害を与えない程度に低い状態に保つ部屋が望まれている。
【００１１】
しかし、特許文献２に記載されている住宅換気システムでは、部屋の換気量が、竪穴部内部を通過する空気の上昇気流によって左右されるので、部屋の温度が上昇して有害化学物質の揮発量が上昇しても、また、低温時の有害化学物質の揮発量が減少しても、この有害化学物質の上昇や減少に関係なく換気される。
従って、夏期等の部屋の気温が高くなると、有害物質の揮発量が必要な換気量より多くなり、その結果、部屋内の有害化学物質の濃度が大きくなり、居住者に害を与えるし、冬期等の部屋の気温が低くなると、換気量が有害物質の揮発量より多く、過剰になる。従って、冬期に部屋を暖房しているときには、この暖房された空気の多くが排気され、暖房効率が悪いという問題がある。
【００１２】
また、有害化学物質を吸着または分解する空気清浄装置を用いる方法では、設備費やランニング費が高価になる。
また、大風量の換気が可能な設備を設置する方法では、部屋を空調しようとすると、この大風量の換気によって外気が大量に流入する。従って、この大量の外気を空調する必要があり、空調による負荷が大きくなり過ぎる。その結果、部屋を空調し難いという問題がある。
【００１３】
そこで、本発明は、空調し易いように換気量を少なくし、しかも、居住者に有害化学物質による害を与えない住宅換気システムと、この住宅換気システムで部屋の換気を行う住宅換気方法を提供することである。
【課題を解決するための手段】
【００１４】
本発明は上記目的を達成するためになされたものであって、請求項１記載の発明は、部屋の温度を感知する温度センサーと、換気装置と、制御装置とからなり、前記制御装置が換気装置を温度センサーの感知した温度に基づいて稼働させて部屋の換気量を制御するシステムになされている住宅換気システムを特徴とするものである。
【００１５】
請求項１記載の発明における部屋とは、建物の中を区切った場所をいい、和室や洋室等の居室は勿論のこと、玄関、廊下、階段室、浴室等の居室以外の空間を含めた場所をいう。
そして、この住宅換気システムに使用する換気装置とは、部屋の空気を住宅外の空気と交換するものであり、適宜の装置がある。例えば、各部屋に給気口と排気口とを設けて各部屋毎に換気する換気装置であってもよいし、特定の部屋に給気口を設け、別の特定の部屋に排気口を設けて、すべての部屋内の空気を纏めて換気する換気装置であっててもよい。
【００１６】
この際の特定の部屋は１個であってもよいし、複数個であってもよい。この際、各部屋に給気口を設け、台所や便所や浴室や階段部屋等に排気口を設けることが好ましい。また、レンジフードに設けている排気装置や浴室に設けている排気扇等を共用してもよい。また、天井裏や小屋裏に給排気装置を設置し、この給排気装置から各部屋にダクトを介して新鮮な空気を送り、且つ、汚れた空気を給排気装置に集めて排気する方式の換気装置であってもよい。この際使用する給排気装置としては、熱交換の機能を備えたものにすると、熱効率がよくなり、部屋を空調したときの空調の負荷が少なくなり好ましい。
【００１７】
そして、この給気口や排気口に給気装置や排気装置を取り付けて換気するのであるが、この給気装置や排気装置の両方を設けてもよいし、一方だけに設けてもよい。特に、給気口に給気装置を設けずに、排気口にだけに排気装置を設けて、給気口からは外気が自然に導入するようにすると、安価で換気効率がよいので好ましい。
そして、給気口を各部屋に設け、排気口と排気装置を１箇所というように少ない場所に設けるときには、この少ない排気装置で各部屋の全てを換気する必要があるので大風量の空気を排気することのできる排気装置が必要である。
【００１８】
また、この請求項１記載の発明においては、部屋の温度を感知する温度センサーを用いるが、この温度センサーとしては適宜でよいが、感知した温度を電気信号に替えて制御装置に随時送るタイプが好ましい。そして、この温度センサーの設置場所としては適宜でよいが壁面または天井面に取り付けると温度を測定し易いので好ましい。特に、２階建ての建物の場合には、階段部屋の天井または壁に設置すると、この階段部屋は１階と２階に通じる場所であるので、両方の温度の平均値が得られるので好ましい。また、温度センサーを温度と湿度を同時に感知する温度湿度センサーが好ましい。
【００１９】
また、この請求項１記載の発明では、制御装置が温度センサーの感知した温度に基づいて換気装置を稼働させて部屋の換気回数を制御するのであるが、この制御装置が、温度センサーの感知した温度に基づいて換気装置を稼働させる方法は適宜でよい。例えば、温度に比例して換気量を制御してもよいし、請求項２記載の発明のように予め定めた温度までは換気量を一定にし、それ以上になると、予め定めた式に基づいて計算された換気量に増加するように制御してもよい。
【００２０】
即ち、請求項２記載の発明は、請求項１記載の住宅換気システムで部屋の換気を行う住宅換気方法であって、温度センサーの関知した部屋の温度が所定の温度以下の場合には、制御装置が換気装置を稼働させて、部屋の換気回数を０．５０〜０．７０回／時間にし、部屋の温度が所定の温度を越えると、制御装置が換気装置を予め設定された式に基づいて計算された部屋の換気量になる状態に稼働させる住宅換気方法を特徴とするものである。
【００２１】
この請求項２記載の発明では、所定の温度以下場合には、換気回数を０．５〜０．７にしているが、これは、建築基準法によって換気回数が０．５回以上に定められていて、この換気回数以上では、炭酸ガス等の有害物質が少なくなり快適な部屋となるし、また、換気回数が余り大きくなると暖房等の空調の付加が大きくなるから、換気回数を０．５０〜０．７０回にするのである。
【００２２】
また、所定の温度を越えると、制御装置が換気装置を予め設定された式に基づいて計算された部屋の換気量になる状態に稼働させるが、この予め設定された式とは、適宜でよい。例えば、換気回数を部屋の温度と所定の温度との差に比例するようにしてもよいし、例えば、所定の温度から５℃上昇すると１．２倍とし、更に５℃上昇すると１．５倍にするというように、段階的に増やすようにしてもよい。
【００２３】
請求項３記載の発明は、請求項２記載の発明に係り、前記所定の温度が２５℃であり、予め設定された式がＱ2 ＝１．３０Ｅｘｐ（ｔ2 −ｔ1 ）×Ｑ1 （ここでｔ2 は部屋内の温度、ｔ1 は２５℃、Ｑ2 は部屋の温度がｔ2 のときの部屋の換気量、Ｑ1 は２５℃の部屋の換気量）であることを特徴とするものである。
【００２４】
これは、通常の部屋では、２５℃以下では有害化学物質の濃度が十分低く、換気回数が０．５０〜０．７０回であれば居住者に害を与えないし、建築基準法に規制された換気回数となるからである。
また、この請求項３記載の発明では、予め設定する式をＱ2 ＝１．３０Ｅｘｐ（ｔ2 −ｔ1 ）×Ｑ1 にしているが、この理由は次に示すように、この式に従って得られた換気量に制御することにより有害化学物質の部屋内の濃度を２５℃時の濃度以下にすることができるからである。
【００２５】
即ち、有害化学物質がホルムアルデヒドの場合の有害化学物質の濃度と温度の関係は非特許文献１に記載されている式１（Ｗ2 ＝１．０９Ｅｘｐ（ｔ2 −ｔ1 ）×Ｗ1 ）に従う。
そして、有害化学物質の部屋内の濃度と換気量の関係は、給気の有害化学物物質の濃度が０の場合には、次の式２に従うといわれている。
Ｗ＝Ｃ／Ｑ  −−−−−−−−  式２
ここでＣは有害化学物質の揮発量である。
【００２６】
この式２から、有害化学物質の濃度は、換気量に反比例し、揮発量に比例する関係にある。そして、温度が上昇して揮発量が増加すると、部屋内の有害化学物質の濃度は式１に従って増加するが、この温度上昇に伴う揮発量の増加に合わせて換気量を増加させると、部屋の濃度を一定に保ことが可能である。即ち、部屋の温度がｔ1 からｔ2 にゆっくりと変化したときに、部屋の濃度を一定に保つためには、部屋の濃度であるＷに比例関係にある揮発量の増加に見合うだけ反比例する換気量Ｑを増加させればよい。従って、部屋内の有害化学物質の濃度を一定に保ためには、換気量を次の式３に示すようにすればよい。
【００２７】
Ｑ2 ＝１．０９Ｅｘｐ（ｔ2 −ｔ1 ）×Ｑ1 −−−−−  式３
このように、部屋内の温度に連動させて式３に示す換気量に制御することによって、温度上昇に伴うホルムアルデヒドの部屋内の濃度の上昇を抑制しすることができる。
また、ホルムアルデヒド以外の有害化学物質の温度上昇に伴う部屋内の濃度を知るために、次に示す実験を行った。
【００２８】
即ち、実験試作低の洋間１室を用いてフローリングとビニルクロスの内装を新規に施工して、空調のない状態での有害化学物質の部屋内の濃度と、その測定時の温度のデータを数日間に渡って測定し、ｘ軸に温度（単位℃）を示し、ｙ軸に部屋内の有害化学物質の濃度（単位μｇ／ｍ3 ）にして、温度と部屋内の有害化学物質の濃度の関係を図３に示す。
【００２９】
この図３からトルエンでは、ｙ＝１１．６８２×ｅＥｘｐ０．０９６２ｘの式が得られ、キシレンでは、ｙ＝０．５０１４×ｅＥｘｐ０．２１１２ｘの式が得られ、エチルベンゼンでは、ｙ＝０．６８９×ｅＥｘｐ０．１８８７ｘの式が得られ、スチレンでは、ｙ＝０．３０４６×ｅＥｘｐ０．２０５１ｘの式が得られ、酢酸ブチルでは、ｙ＝０．１９８６×ｅＥｘｐ０．２５５４ｘの式が得られる。
【００３０】
そして、式１から式３に示す手順と略同じようにして、この図３の濃度の変化を示す式から濃度を一定にするための換気量を式を求めると、トルエンでは次の式４となる。
Ｗ2 ＝ｅＥｘｐ０．０９６２１（ｔ2 −ｔ1 ）×Ｗ1 ≒０．１０１Ｅｘｐ（ｔ2 −ｔ1 ）×Ｗ1 −−−−  式４
【００３１】
また、キシレンでは次の式５となる。
Ｗ2 ＝ｅＥｘｐ０．２１１２１（ｔ2 −ｔ1 ）×Ｗ1 ≒１．２３５Ｅｘｐ（ｔ2 −ｔ1 ）×Ｗ1 −−−−  式５
また、エチルベンゼンでは次の式６となる。
Ｗ2 ＝ｅＥｘｐ０．１８８７１（ｔ2 −ｔ1 ）×Ｗ1 ≒１．２０８Ｅｘｐ（ｔ2 −ｔ1 ）×Ｗ1 −−−−  式６
【００３２】
また、スチレンでは次の式７となる。
Ｗ2 ＝ｅＥｘｐ０．２０５１１（ｔ2 −ｔ1 ）×Ｗ1 ≒１．２２８Ｅｘｐ（ｔ2 −ｔ1 ）×Ｗ1 −−−−  式７
また、酢酸ブチルでは次の式８となる。
Ｗ2 ＝ｅＥｘｐ０．２５５４１（ｔ2 −ｔ1 ）×Ｗ1 ≒１．２９１Ｅｘｐ（ｔ2 −ｔ1 ）×Ｗ1 −−−−  式８
【００３３】
以上のことから、部屋の換気量を以上の式３〜８から得られた換気量より多くにすればすべての有害化学物質の部屋内の濃度をｔ1 の温度、例えば、２５℃のときの濃度以下にすることができることが判る。
即ち、式３〜８を上回る次に示す式９に従って換気量を制御することにより温度上昇による部屋内の有害化学物質の濃度がｔ1 の温度、例えば、２５℃での濃度以下になるように抑制することが可能になる。
Ｑ2 ＝１．３０Ｅｘｐ（ｔ2 −ｔ1 ）×Ｑ1 −−−−  式９
かかる理由によって、請求項３記載の発明では、請求項２記載の発明の予め設定された式を式９にするのである。
【００３４】
（作用）
請求項１記載の発明では、部屋の温度を感知する温度センサーと、換気装置と、制御装置とからなり、前記制御装置が換気装置を温度センサーの感知した温度に基づいて稼働させて部屋の換気量を制御するシステムになされている住宅換気システムを特徴とするので、制御装置で部屋の温度に応じた換気回数に制御することにより、部屋内の温度が変化し、有害化学物質の揮発量が増大したり減少しても、部屋内の有害化学物質の濃度を一定以下の濃度に抑えることができる。
【００３５】
このようにすることにより、夏期、温度が上昇しても、部屋内の有害化学物質の濃度を一定以下にすることができ、居住者に害を与えないし、冬期に温度が低下したときには換気量が減少し、部屋内を暖房しても暖房効率が必要以上に低下しない。
【００３６】
請求項２記載の発明では、請求項１記載の住宅換気システムで部屋の換気を行う住宅換気方法であって、温度センサーの関知した部屋の温度が所定の温度以下の場合には、制御装置が換気装置を稼働させて、部屋の換気回数を０．５０〜０．７０回／時間にし、部屋の温度が所定の温度を越えると、制御装置が換気装置を予め設定された式に基づいて計算された部屋の換気量になる状態に稼働させる住宅換気方法を特徴とするので、この所定の温度を有害化学物質の濃度が居住者に害を与えない状態の温度に設定し、予め設定された式を、所定温度における有害化学物質の部屋内の濃度以下なるように設定することにより、所定の温度以下の場合には、換気回数が０．５０〜０．７０回で一定となり居住性のよい部屋となるし、所定温度以上では、部屋の換気量が増加し、有害化学物質の濃度を居住者に害を与えない状態にすることができる。
【００３７】
このようにすることにより、夏期等に温度が上昇しても、部屋内の有害化学物質が居住者に害を与えないし、冬期等で温度が所定の温度以下に低下したときには換気回数が０．５０〜０．７０回と少なくなり、部屋内を暖房したときの暖房効率が必要以上に低下しない。
【００３８】
請求項３記載の発明では、請求項２記載の発明に係り、前記所定の温度が２５℃であり、予め設定された式がＱ2 ＝１．３０Ｅｘｐ（ｔ2 −ｔ1 ）×Ｑ1 （ここでｔ2 は部屋内の温度、ｔ1 は２５℃、Ｑ2 は部屋の温度がｔ2 のときの部屋の換気量、Ｑ1 は２５℃の部屋の換気量）であるので、２５℃以下では、部屋内の換気回数が０．５０〜０．７０であるが、通常、この２５℃では、有害化学物質の揮発量が少なく、居住者に害を与えないし、２５℃を越えたときには、有害化学物質の揮発量が増大するが、制御装置が換気装置を予め設定された式Ｑ2 ＝１．３０Ｅｘｐ（ｔ2 −ｔ1 ）×Ｑ1 によって得られた換気量になる状態に制御する。従って、部屋内の有害化学物質の濃度が２５℃のときの濃度より増加しない。
【００３９】
このようになっているので、温度に関係なく、部屋内のすべての有害化学物質の濃度を、２５℃における部屋内の濃度以下に抑えることができ、居住者に害を与えない。
【発明の効果】
【００４０】
以上の説明から判るように、請求項１記載の発明は、部屋の温度を感知する温度センサーと、換気装置と、制御装置とからなり、前記制御装置が換気装置を温度センサーの感知した温度に基づいて稼働させて部屋の換気量を制御するシステムになされている住宅換気システムを特徴とするから、夏期、温度が上昇しても、部屋内の有害化学物質の濃度を一定以下にすることができ、居住者に害を与えないし、冬期に温度が低下したときには換気回数が減少し、部屋内を暖房したときの暖房効率が必要以上に低下しない。
また、高価な濃度センサーでなく、温度センサーを使用するので、安価なシステムである。
【００４１】
請求項２記載の発明は、請求項１記載の住宅換気システムで部屋の換気を行う住宅換気方法であって、温度センサーの関知した部屋の温度が所定の温度以下の場合には、制御装置が換気装置を稼働させて、部屋の換気回数を０．５０〜０．７０回／時間にし、部屋の温度が所定の温度を越えると、制御装置が換気装置を予め設定された式に基づいて計算された部屋の換気量になる状態に稼働させる住宅換気方法を特徴とするから、夏期等に温度が上昇しても、部屋内の有害化学物質が居住者に害を与えないし、冬期等に温度が低下したときには換気回数が少なくなり、部屋内を暖房したときの暖房効率が必要以上に低下しない。
【００４２】
請求項３記載の発明は、請求項２記載の発明に係り、前記所定の温度が２５℃であり、予め設定された式がＱ2 ＝１．３０Ｅｘｐ（ｔ2 −ｔ1 ）×Ｑ1 （ここでｔ2 は部屋内の温度、ｔ1 は２５℃、Ｑ2 は部屋の温度がｔ2 のときの部屋の換気量、Ｑ1 は２５℃の部屋の換気量）であるから、温度に関係なく、部屋内のすべての有害化学物質の濃度を、２５℃における部屋内の濃度以下に抑えることができ、居住者に害を与えない。
【発明を実施するための最良の形態】
【００４３】
以下、本発明を実施するための最良の形態を実施例で説明する。
【実施例】
【００４４】
図１及び図２は本発明の一実施例であって、図１は、住宅換気システムを備えた住宅の概略断面図、図２は住宅内の温度と換気量の関係を示す図である。
図１において、Ｈは住宅であり、この住宅Ｈは、床面積１４５ｍ2 の２階建ての建物であって、複数個の居室１や、階段ホール２や、便所３等があり、換気対象空間である総気体積は３４５ｍ3 である。
【００４５】
住宅換気システムＳは、温度を感知する温度センサー６と、給気口４、通気口１２、排気口５とからなる換気装置と、制御装置７とからなる。
そして、各居室１には給気口４と、ドアー１１が設けられ、通気口１２は、このドアー１１に設けられている。
温度センサー６と制御装置７は、階段ホール２には温度感知する設けられている。
排気口５は、階段ホール２と便所３に設けられ、この排気口５には換気扇５１が取り付けられている。
【００４６】
なお、この換気扇５１に設けられている駆動装置は、制御装置７によって回転数が制御されている。
次に、この住宅換気システムＳで住宅Ｈを換気する換気方法と作用を説明する。
常時、温度センサー６が階段ホール２の温度を感知していて、この温度センサー６の感知した温度が電気信号に変えられ、この電気信号が制御装置７に送られる。
この温度センサー６が感知した温度が２５℃以下の場合には、制御装置７は、換気回数が０．５５回になる換気量を計算し、換気扇５１に設けられている駆動装置に換気扇５１の換気量が１９０ｍ3 ／時となるに指令を発する。
【００４７】
なお、この１９０ｍ3 ／時は、建築基準法によって規制されている換気量０．５回／時以上の下限に近い０．５５回／時（０．５５回／時×３４５ｍ3 ）に相当する換気回数である。
すると、住宅外の空気が各居室１に設けられている給気口４から入り、住宅内の空気がドアー１１に設けられている通気口１２を通って排気口４５から出てゆくというように換気される。
【００４８】
このようになっているので、換気扇５１が稼働すると、建物Ｈの全体の部屋の換気回数が０．５５回／時となる。
そして、温度センサー６の感知した温度が２５℃以上の場合には、制御装置７は、駆動装置に換気扇５１の換気量が１９０ｍ3 ／時×１．３０Ｅｘｐ（ｔ−２５）になるように指令を発する。すると、有害化学物質の揮発量が増加する以上に換気量が増加する。
なお、ｔは温度センサーが感知した温度（℃）である。
すると、全体の部屋の換気量は図２に示すようになる。
【００４９】
このように、この住宅換気システムＳを備えた住宅では、部屋の温度が１５℃以下の場合には、換気回数が０．５５回であり、部屋内の有害化学物質の濃度が少なく居住者に害を与えず、居住性のよい部屋となる。
従って、冬期に部屋を暖房しても、換気回数が０．５５回と少ないので、暖房効率がよい。
また、２５℃以上になると、有害化学物質の揮発量が増加するが、このときには、制御装置が換気装置を予め設定された式Ｑ2 ＝１．３０Ｅｘｐ（ｔ2 −ｔ1 ）×Ｑ1 によって得られた換気量に制御する。従って、部屋内の有害化学物質の濃度が２５℃のときの濃度以下に抑えられる。従って、温度が上昇しても部屋の有害化学物質の濃度が増加せず、居住者にこの有害化学物質による害を与えず、居住性のよい部屋に維持される。
【産業上の利用可能性】
【００５０】
この実施例では、２５℃以下の場合には換気回数を０．５５回／時としているが、新築や改築・改装直後の住宅、アパート、マンション等で、有害化学物質の揮発量が多いときには、この換気回数を増加させてもよい。そして、住宅、アパート、マンション等が古くなって有害化学物質の揮発量が少なくなると、元の換気回数に減少させるというように、適宜、変更するようにしてもよい。
【００５１】
また、２５℃以下の換気回数を０．５５回にしているが、この換気回数を０．５５回にする温度は適宜上下させてもよい。例えば、２０℃以下の場合に、有害化学物質の濃度が居住者に害を与えなず、この２０℃を越えると害を与える場合には、この温度を２０℃にすればよい。また、有害化学物質の濃度が、常時、居住者に害を与える場合には、この下限の温度をなくしてもよい。
また、式Ｑ2 ＝１．３０Ｅｘｐ（ｔ2 −ｔ1 ）×Ｑ1 によって、換気量を増加させているが、その他の手段で換気回数を増加させてもよい。
【００５２】
また、温度センサーを階段室に設けているが、この温度センサーの設置位置は適宜でよい。例えば居室であってもよいし、玄関でもよいし、廊下であってもよい。
また、給気口を各部屋に設け、排気口を階段ホールと便所に設けているが、この給気口や排気口の設置ば場所は適宜でよい。
【図面の簡単な説明】
【００５３】
【図１】実施例の住宅換気システムを備えた住宅の概略断面図である。
【図２】実施例の住宅内の温度と換気量の関係を示す図である。
【図３】温度と部屋内の有害化学物質の濃度の関係を示す図である。
【符号の説明】
【００５４】
Ｈ          住宅換気システムを備えた住宅
Ｓ          住宅換気システム
１          部屋
４          給気口
５          排気口
６          温度センサー
７          制御装置
【図１】
2005147590.tif 000003
【図２】
2005147590.tif 000004
【図３】
2005147590.tif 000005